【手続補正書】
【提出日】平成18年8月2日(2006.8.2)
【手続補正１】
【補正対象書類名】明細書
【補正対象項目名】全文
【補正方法】変更
【補正の内容】
【書類名】明細書【発明の名称】ダブル圧縮型受圧パイプ【特許請求の範囲】【請求項１】  テンドン（６）の緊張力を保孔兼受圧パイプ（１８）内の硬化したセメント（８）で横方向の圧力に変え、保孔兼受圧パイプ（１８）を介してボーリング孔（５）自由長部（Ｂ）の孔壁（５）に密着させて孔壁（５）との摩擦力を上げ、その孔壁（５）を受圧体（板）として地すべりを抑止する。【請求項２】  ボーリング孔（５）に設置された保孔兼受圧パイプ（１８）内の硬化したセメント（８）を同じパイプ（１８）内のアンカーヘッド兼抵抗体（１７）と抵抗体（１３）で両側から、テンドン（６−２）の緊張力で、ボーリング孔（５）軸方向の中央に圧縮して硬化したセメント（８）をポアソン比分横方向に広げ、ボーリング孔壁（５）周辺の地耐力と摩擦力を上げて保孔兼受圧パイプ（１８）を受圧体（板）として地すべりを抑止する。【請求項３】  テンドン（６−２）を自由長部（Ｂ）の孔口から孔底側の抵抗体（１３・１５）の先に付帯されたヘッター（１４）までの約２倍強の長さに切断し、そのテンドン（６−２）を真中で湾曲に折り曲げ、抵抗体（１３）の半円形のヘッター（１４）に刻まれた溝にはめ込み、両方のテンドン（６−１・６−２）を孔口側のスペーサー（１６）に刻み込まれた溝にもはめ込む。そして、先に組立ててあるアンカー体のテンドン（６−１）へ、その深さを調整組み合わせてバンドで固定する。組あわせた両テンドン（６−１・６−２）をボーリング孔（５）へ挿入し、削孔に使用したケーシングを引抜き、両テンドン（６−１・６−２）を計画深度に調整して孔口へ仮止めする。ボーリング孔（５）へセメントペースト（８）を口元まで充填する。セメントペースト（８）の硬化を確認し、上面を支圧板（１９）と支圧伝導パイプ（２０）が馴染よく設置できるように整形し、両テンドン（６−１・６−２）のシース材を剥ぎ取り支圧板（１９）と支圧伝導パイプ（２０）およびアンカーヘッド兼抵抗体（１７）を通してボーリング孔（５）のセメント（８）の上に設置する。そして、一度アンカー体（９）のテンドン（６−１）をジャッキーで設計荷重まで緊張し定着力を確認し、テンドン（６−１）の緊張を緩める。受圧体のテンドン（６−２）をジャッキーで計画荷重まで緊張し定着力と地盤の変形の無いことを確認して、アンカーヘッド兼抵抗体（１７）へ、クサビ（２９）等で固定する。再度アンカー体（９）のテンドン（６−１）をジャッキーで緊張してアンカーヘッド兼抵抗体（１７）へ、クサビ（２９）等で固定する。【発明の詳細な説明】【０００１】【発明の属する技術分野】  本発明は、地すべりや崖崩れ等の防止方法の一つであろアンカー工法に関する。【０００２】【従来の技術】  アンカー工法とは、図１に示すように活動しようとするすべり土塊を、テンドンと言う引張り部材の一端側をボーリング孔の安定した地盤へセメント等で固めて反力を取り、テンドンのもう一端を地表のコンクリート構造物や受圧板へ固定し、すべり活動を抑止するものである。【０００３】  アンカーの設置作業は、機械ボーリング等で地表からすべり土塊を貫通して安定地盤まで削孔し、そのボーリング孔へテンドンであるＰＣ鋼より線等を挿入する。そして同じくボーリング孔へセメントペースト等を充填・注入する。そのセメントペーストが硬化すると、テンドンはセメントと一体化してアンカー体が形成されボーリング孔壁に付着する。地表に出たテンドンをジャッキーで緊張してコンクリート構造物や受圧板へ固定する。そのテンドンの緊張力で、すべりをコンクリート構造物や受圧板で引止めたりすべり面を締付けて抑止する。【０００４】【発明が解決しようとする課題】【０００５】  しかし、従来の受圧方法には以下の課題が残されている。地盤の地耐力が小さいとテンドンから加わる力で地盤は破壊し受圧板は沈下する。そこでこれまでは、コンクリート構造物や受圧板の形状を大きくするか、セメント等で地盤改良を行って地耐力を上げて地盤の破壊と受圧板の沈下を防止していた。【０００６】  地山の地盤状態が悪いとボーリング孔壁はいずれ崩壊する。孔壁が自立してもテンドンを緊張すると、自由長部のボーリング孔壁に圧縮力が働き崩壊する。そこで、セメントペーストを口元まで充填して崩壊防止を行ったが、テンドンに緊張が加わると、アンカー体上部から自由長部に圧縮力が作用し、自由長部から地盤との摩擦により表層部の地盤を乱す。また、アンカー体上部と自由長部との境界の硬化したセメントにクラックが入る。【０００７】  受圧板やコンクリート構造物は冷たい感じがして景観を損ねていた。【０００８】  本発明が求めたところは、地表の地盤と自由長部孔壁の地山状態が悪くても、テンドンから加わる力を確実に支持する受圧方法を提供するものである。【０００９】【課題を解決するための手段】【００１０】  そこで、上記の諸課題を解決するべく色々検討や実験を重ねてきて図２へ示す方法に到達した。以下に本発明の構成とその原理機構を説明する。  なお、アンカー体の緊張で発生する諸問題は、同特許願（１）整理番号Ｔ０００１Ｈ１３−２０で解決済みとし、受圧方法と自由長部の諸問題の解決方法を以下に述べる。【００１１】  そこで本発明のポイントは、テンドン（６）の緊張力を保孔兼受圧パイプ（１８）内の硬化したセメント（８）で横方向の圧力に変え、保孔兼受圧パイプ（１８）を介してボーリング孔（５）自由長部（Ｂ）の孔壁（５）に密着させて孔壁（５）との摩擦力を上げ、その孔壁（５）を受圧体（板）として地すべりを抑止するものである。【００１２】  その硬化したセメントを横方向の圧力に変換する方法は、ボーリング孔（５）に設置された保孔兼受圧パイプ（１８）内の硬化したセメント（８）を同じパイプ（１８）内のアンカーヘッド兼抵抗体（１７）と抵抗体（１３）で両側から、テンドン（６−２）の緊張力で、ボーリング孔（５）軸方向の中央に圧縮して硬化したセメント（８）をポアソン比分横方向に広げ、ボーリング孔壁（５）周辺の地耐力と摩擦力を上げて保孔兼受圧パイプ（１８）を受圧体（板）として地すべりを抑止する。【００１３】  ただし、孔壁の状態や地耐力によっては、保孔兼受圧パイプ（１８）で直接掘削して設置したり、テンドン（６−１・６−２）に抱かせてケーシング（アウターチュウブ）内に挿入することもある。その反対に自由長部の孔壁が堅硬良質なら保孔兼受圧パイプ（１８）を設置しないこともある。また、保孔兼受圧パイプ（１８）の使用目的は、テンドン（６）の緊張力を直線関係におくためと、圧縮されたセメント（８）の拡張力が必要以上に孔壁（５）に加わり孔壁が破壊することを防ぐためでもある。【００１４】  本アンカー工法は、テンドン（５）に加わる地すべり土塊（２）の活動を以下の装置と機構を作用させてボーリング孔（５）の自由長部（Ｂ）で受持ち地すべりを抑止する。【００１５】  まず、受圧体（板）（３７）のダブル圧縮部とアンカー体のテンドンとを地表で組合わせる。なお、アンカー体用のテンドン（６−１）は先に組まれている。テンドン（６−２）を自由長部（Ｂ）の孔口から孔底側の抵抗体（１３・１５）の先に付帯されたヘッター（１４）までの約２倍強の長さに切断し、そのテンドン（６−２）を真中で湾曲に折り曲げ、抵抗体（１３）の半円形のヘッター（１４）に刻まれた溝にはめ込み、両方のテンドン（６−１・６−２）を孔口側のスペーサー（１６）に刻み込まれた溝にもはめ込む。そして、先に組立ててあるアンカー体のテンドン（６−１）へ、その深さを調整組み合わせてバンドで固定する。組あわせた両テンドン（６−１・６−２）をボーリング孔（５）へ挿入し、削孔に使用したケーシングを引抜き、両テンドン（６−１・６−２）を計画深度に調整して孔口へ仮止めする。ボーリング孔（５）へセメントペースト（８）を口元まで充填する。セメントペースト（８）の硬化を確認し、上面を支圧板（１９）と支圧伝導パイプ（２０）が馴染よく設置できるように整形し、両テンドン（６−１・６−２）のシース材を剥ぎ取り支圧板（１９）と支圧伝導パイプ（２０）およびアンカーヘッド兼抵抗体（１７）を通してボーリング孔（５）のセメント（８）の上に設置する。そして、一度アンカー体（９）のテンドン（６−１）をジャッキーで設計荷重まで緊張し定着力を確認し、テンドン（６−１）の緊張を緩める。受圧体のテンドン（６−２）をジャッキーで計画荷重まで緊張し定着力と地盤の変形の無いことを確認して、アンカーヘッド兼抵抗体（１７）へ、クサビ（２９）等で固定する。再度アンカー体（９）のテンドン（６−１）をジャッキーで緊張してアンカーヘッド兼抵抗体（１７）へ、クサビ（２９）等で固定する。【００１６】【作用】【００１７】  保孔兼受圧パイプ（１８）内の硬化したセメント（８）は、テンドン（６−２）が緊張されるとその引張り力は、地表のアンカーヘッド兼抵抗体（１７）と孔底側の抵抗体（１３）の両方から圧縮されて、その圧縮力は軸方向の中央に働き、その結果圧縮分孔壁方向に広がり摩擦力が増大した。それら保孔用兼受圧パイプ（１８）内のダブル圧縮は、テンドン（６−１・６−２）への緊張力が増加すると圧縮力も常に増加する。【００１８】【発明の実施形態】【００１９】  発明の実施の形態を実施例にもとづき図面を参照して説明する。【００２０】  図２はダブル圧縮型受圧パイプとアンカー体模式断面図である。  本アンカー工法は、テンドン（５）に加わる地すべり土塊（２）の活動を以下の装置と機構を作用させてボーリング孔（５）の自由長部（Ｂ）で受持ち地すべりを抑止する。【００２１】  まず、受圧体（板）（３７）のダブル圧縮部とアンカー体のテンドンとを地表で組合わせる。なお、アンカー体用のテンドン（６−１）は���に組まれている。  テンドン（６−２）を自由長部（Ｂ）の孔口から孔底側の抵抗体（１３・１５）の先に付帯されたヘッター（１４）までの約２倍強の長さに切断し、そのテンドン（６−２）を真中で湾曲に折り曲げ、抵抗体（１３）の半円形のヘッター（１４）に刻まれた溝にはめ込み、両方のテンドン（６−１・６−２）を孔口側のスペーサー（１６）に刻み込まれた溝にもはめ込む。そして、先に組立ててあるアンカー体のテンドン（６−１）へ、その深さを調整組み合わせてバンドで固定する。組あわせた両テンドン（６−１・６−２）をボーリング孔（５）へ挿入し、削孔に使用したケーシングを引抜き、両テンドン（６−１・６−２）を計画深度に調整して孔口へ仮止めする。ボーリング孔（５）へセメントペースト（８）を口元まで充填する。セメントペースト（８）の硬化を確認し、上面を支圧板（１９）と支圧伝導パイプ（２０）が馴染よく設置できるように整形し、両テンドン（６−１・６−２）のシース材を剥ぎ取り支圧板（１９）と支圧伝導パイプ（２０）およびアンカーヘッド兼抵抗体（１７）を通してボーリング孔（５）のセメント（８）の上に設置する。そして、一度アンカー体（９）のテンドン（６−１）をジャッキーで設計荷重まで緊張し定着力を確認し、テンドン（６−１）の緊張を緩める。受圧体のテンドン（６−２）をジャッキーで計画荷重まで緊張し定着力と地盤の変形の無いことを確認して、アンカーヘッド兼抵抗体（１７）へ、クサビ（２９）等で固定する。再度アンカー体（９）のテンドン（６−１）をジャッキーで緊張してアンカーヘッド兼抵抗体（１７）へ、クサビ（２９）等で固定する。【００２２】  なお、支圧板（１９）は削孔したボーリング孔（５）の径より大きい形状で、通常は保孔兼受圧パイプ（１８）と地表（１・２８）面より高目に隙間を開けて設置されている。その隙間は地表（１）面の小崩壊を防止するネットを挟んだり、地すべり土塊が活動した時の余裕長である。また本格的に活動した時には保孔兼受圧パイプ（１８）も動いて支圧板に当り、保孔用兼受圧パイプ（１８）内のセメント（８）は、さらに両抵抗体（１７・１３）で圧縮される。その支圧板（１９）は支圧伝導パイプ（２０）へネジや溶接で連結する。【００２３】図３は突起付き受圧板の模式断面図である。パイプの外周（１８）の突起（３５）で孔壁（５）とセメント（８）との摩擦力を大きくする。【００２４】  図４は網目式受圧パイプ模式断面図である。凹凸の網状管や金網及びエキスパンドの保孔兼受圧パイプ（１８）である。それらは凹凸の網目状パイプにて孔壁（５）とセメント（８）との摩擦力を大きくする。【００２５】  図５は保孔兼受圧パイプの機構および応力伝達図である。  デンドン（６−２）の緊張でパイプ（１８）内のセメント（８）は両抵抗体（１３・１８）で軸方向の中央部に圧縮（２１）され、ポアソン比分横方向に広がり（２３）、孔壁との摩擦力が大きくなる。また、保孔兼受圧パイプ（１８）から地山に圧縮応力および摩擦応力が描かれる。【００２６】【発明の効果】    保孔兼受圧パイプ（１８）は、テンドン（６−１）の緊張でパイプ（１８）内のセメント（８）は軸方向の中央部に圧縮され、ポアソン比分横方向に広がり、保孔��受圧パイプ（１８）を介して、ボーリング孔壁（５）周辺の地耐力と摩擦力が上がり、従来の受圧板（２５）と同じ役目を果たし、すべり土塊（２）を抑止することができた。そして、テンドン（６−１）を緊張してもセメント（８）にクラックも発生せず、表層の地盤の乱れも確認されなかった。さらに施工したアンカー工の形態をほとんど地表にさらすことなく、景観を損ねることもなくなり、地表（１・２８）の緑化が可能になった。【図面の簡単な説明】【図１】従来型のアンカー工の構造模式断面図【図２】ダブル圧縮型受圧パイプとアンカー体模式断面図【図３】突起付き受圧パイプ模式断面図【図４】編み目式受圧パイプ模式断面図【図５】保孔管兼受圧パイプの機構及び応力伝達図【符号の説明】  １  地表                            １８  保孔兼受圧パイプ  ２  すべり土塊                      １９  支圧板  ３  すべり面                        ２０  支圧伝導パイプ  ４  安定地盤                        ２１  抵抗体の圧縮方向  ５  ボーリング孔または孔壁          ２２  アンカー体（受圧体）の応力方向  ６  テンドンまたは引張り部材    ６−１  アンカー用テンドン        ２３  地山への応力分布    ６−２  受圧用テンドン            ２４  地山の応力構造  ７  引張り部材用の固定具            ２５  受圧板  ８  セメントペースト，硬化セメント  ２６  パッキン  ９  アンカー体                      ２７  アンカーヘット１０  引張り部材の引張り方向          ２８  切り土ノリ面１１  抵抗体                          ２９  クサビ１２  抵抗体                          ３０  軟質部材１３  抵抗体                          ３５  受圧パイプの凸１４  ヘッター                        ３６  受圧パイプからの応力分布構造１５  ボデー                          ３７  受圧体１６  スペーサー１７  アンカーヘッド兼抵抗体  Ａ  アンカー頭部  Ｂ  アンカー自由長部  Ｃ  アンカー定着長部  Ｄ  アンカー長【手続補正２】
【補正対象書類名】図面
【補正対象項目名】全図
【補正方法】変更
【補正の内容】
【図１】
2003184083.tif 000001
【図２】
2003184083.tif 000002
【図３】
2003184083.tif 000003
【図４】
2003184083.tif 000004
【図５】
2003184083.tif 000005